(57)【要約】【課題】  製造コストが低く、少なくとも１つのコマンド送受信機とコマンド送信機との間の双方向通信の方法を提供する。【解決手段】  本発明の方法は、建物の警備又は快適性を確保する要素を制御するための、コマンド送信機２０と双方向コマンド送受信機１０との間の通信を可能にする。コマンド送信機２０からコマンド送受信機１０、或いはコマンド送受信機１０から他の要素への制御コマンドの送信は、周波数変調信号によって行われる。本発明は、プログラミングモードにおいて、周波数変調された電気信号によってデータをコマンド送信機２０に送信できるように、周波数変調モードにおいて通信のために通常使用される電気信号の送信を、コマンド送受信機１０が連続して起動及び中断することを特徴としている。
2006516374.tif 000002
【特許請求の範囲】
【請求項１】
建物の警備および／または快適性を確保する要素（１４）の制御を行う、コマンド送信機（２０）と双方向コマンド送受信機（１０）との間の通信方法であって、前記コマンド送信機（２０）から前記コマンド送受信機（１０）への、または、前記送受信機（１０）から他の要素への制御コマンドの通信が、周波数変調ＲＦ信号によって行われ、前記コマンド送受信機（１０）は、プログラミングモードにおいて、振幅変調ＲＦ信号によって前記コマンド送信機（２０）に対して情報を送信するように、周波数変調による通信のために通常使用される電気信号の送信を連続的に起動および中断することを特徴とする通信方法。
【請求項２】
前記コマンド送信機（２０）に送信される前記情報は、前記コマンド送受信機の周波数変調ＲＦ信号の送信手段（１２１Ｅ、１２２Ｅ）によって行われる搬送波の送信の一連の送信と一連の送信中断であることを特徴とする請求項１に記載の通信方法。
【請求項３】
前記情報は識別コードを含むことを特徴とする請求項１または２に記載の通信方法。
【請求項４】
周波数変調ＲＦ信号の受信手段（１２１Ｒ、１２２Ｒ）と、周波数変調ＲＦ信号の送信手段（１２１Ｅ、１２２Ｅ）とに接続されているアンテナ（１１）を備える、周波数変調ＲＦ信号から成るコマンドの送受信機（１０）において、
前記コマンド送受信機（１０）は、請求項１から３の何れか１項に記載の方法の実施のために、前記送信手段（１２１Ｅ、１２２Ｅ）の起動および無効化手段（１３、１３０）を備えることを特徴とするコマンド送受信機。
【請求項５】
前記起動および無効化手段（１３、１３０）は、前記送信手段の増幅回路（１２１Ｅ）の起動および無効化を可能にすることを特徴とする請求項１から４の何れか１項に記載のコマンド送受信機。
【請求項６】
前記増幅回路（１２１Ｅ）の起動および無効化手段（１３、１３０）は、論理処理ユニット（１３）と制御回路（１３０）とを備えることを特徴とする請求項５に記載のコマンド送受信機。
【請求項７】
前記起動および無効化手段（１３、１３０）は、前記増幅回路（１２１Ｅ）の電源の制御手段（１３０）を備えることを特徴とする請求項５または６に記載のコマンド送受信機。
【請求項８】
請求項４から７の何れか１項に記載の少なくとも１つのコマンド送受信機（１０）と、周波数変調ＲＦ信号を送信する手段（２２）と振幅変調ＲＦ信号を受信する手段（２１０）とが備えられている少なくとも１つのコマンド送信機（２０）とを含む装置。
【発明の詳細な説明】
【技術分野】
【０００１】
本発明は、コマンド送信機からコマンド送受信機への制御コマンドの通信、または、コマンド送受信機から他の要素への制御コマンドの通信が、周波数変調ＲＦ信号によって行われる、建物の警備および／または快適性を確保する要素の制御を目的とするコマンド送信機と双方向コマンド送受信機との間の通信の方法に関する。本発明は、さらに、本発明の実現のためのコマンド送受信機と、このようなコマンド送受信機とコマンド送信機とを備える装置とに関する。
【背景技術】
【０００２】
コマンド送信機とコマンド受信機とを備える装置が、例えば、シャッタやロールブラインド等のような電動装置を制御するために使用され、照明システムまたは警報システムが制御される。
【０００３】
こうした装置は、一般に、１つまたは複数のコマンド送信機を備える。各々の被制御装置がコマンド受信機に関連している。しかし、幾つかの装置を駆動するためにコマンド受信機が備えられていてもよい。
【０００４】
電磁信号と、とりわけＲＦ信号とを特に使用することによって、コマンド送信機とコマンド受信機とが遠隔通信する時には、１つの同じ装置内において、コマンド送信機がコマンド受信機と対にされることが必要である。
【０００５】
この対形成の手続きは幾つかの形態をとることができるであろう。
【０００６】
米国特許第４，７５０，１１８号が、複数のコマンド送信機のそれぞれの識別子を、コマンド受信機内に配置されている記憶装置内に記録することを可能にする、対形成手続きを開示している。機能動作中に、このコマンド受信機は、識別子が既に記録されているコマンド送信機からコマンドが送り出されているということを確認し終わった後にのみ、その受信されたコマンドの妥当性を確認する。この解決策は、コマンド送信機の製造中に、そのコマンド送信機の各々に識別子を割り当てることを含む。
【０００７】
別の公知の解決策は、コマンド受信機に一意な識別子を割り当てることで成り立つ。この識別子は、プログラミング操作中に、制御コマンド送信機の各々に通信される。
【０００８】
例えば、米国特許第５，１４８，１５９号は、コマンド受信機の識別子が非同期タイプの直列伝送によってコマンド送信機に通信されるシステムを記述している。
【０００９】
他のシステムは、さらに、同一の原理に基づいて、コマンド受信機の識別子を構成するコードのランダム生成を提案する。これらの識別子は、送信を機密保護するようにコマンド受信機から各コマンド送信機に送られる。
【００１０】
これらの手続きにより、コマンド送信機の製造時点において、そのコマンド送信機の各々に識別子を割り当てる必要をなくすことが可能である。しかし、これらの手続きは、コマンド送信機のレベルにおいて、情報の受信のための手段、すなわち、双方向通信手段を必要とする。
【００１１】
これらの解決策は、製造コスト、特にコマンド送信機の製造コストを増大させる。これらの解決策は、幾つかのコマンド送信機が単一のコマンド受信機と通信するために使用されることが多い限りにおいて、制御システムのコストを著しく増大させる。これは、例えば、各ユーザがコマンド送信機を所有し、ガレージのドアの開閉を制御する場合に当てはまる。
【００１２】
コマンド送信機に対する簡素化された通信のためのシステムが、特許出願ＤＥ  １９６  ２４  ４１０と、特許出願ＥＰ  ０  ４４０  ９７４、及び特許出願ＤＥ  １９６  ２５  ５８８とから公知である。
【００１３】
出願ＤＥ  １９６  ２４  ４１０は、コマンド受信機からコマンド送信機へのコードの通信方法を開示している。この通信は、低周波数の誘導リンクによって行われる。コードの送信を確実なものにするために、コイルとコンデンサのシステムが、コマンド受信機のレベルまたはプログラミングシステムのレベルと、各コマンド送信機のレベルとに設けられる。この低周波数リンクは、高周波数リンクよりも有効距離が短いが、しかし、従来の高周波数通信と比較してコストを低減させることを可能にする。
【００１４】
同様に、出願ＥＰ  ０  ４４０  ９７４は、有効距離と送信信号とを区別するように、異なる周波数によってコマンド送信機と双方向コマンド受信機との間で通信するための装置を開示している。
【００１５】
出願ＤＥ  １９６  ２５  ５８８は識別コードの送信を可能にする通信方法を開示しており、最初に、コマンド受信機から、簡素化された受信部分を有するコマンド送信機への通信方法を開示し、その次に、このコマンド送信機から、このコマンド送信機と同一である別のコマンド送信機への通信方法を開示している。この方法は、アンテナとマルチプレクサに関してコマンド送信機の受信手段を簡素化することを可能にする。したがって、そのコストがわずかに低減する。また、通信の有効距離も同様に短い。
【００１６】
米国特許第４，９８８，９９２号が、コマンド送信機とコマンド受信機とを備える電動ガレージドアを開示している。この送信機は、信号の送出が可能である状態に移行することを可能にする変調器を起動する手段を備える。
【００１７】
同様に、出願ＥＰ  １  ２６７  ０２１は、送信されるべき信号の生成を確実なものにするマイクロプロセッサを起動する手段を備える送信機を開示している。
【発明の開示】
【発明が解決しようとする課題】
【００１８】
本発明の目的は、上述の問題点に対する解決策を提供し、かつ、従来技術から公知である通信方法とコマンド送受信機とを改善する、通信方法とコマンド送受信機とを提案することである。特に、本発明は、製造コストが低く、少なくとも１つのコマンド送受信機とコマンド送信機との間の双方向通信の方法を提供することを目的とする。
【課題を解決するための手段】
【００１９】
本発明による方法は、コマンド送受信機が、プログラミングモードにおいて振幅変調ＲＦ信号によってコマンド送信機に情報を送るように、周波数変調による通信のために通常使用される電気信号の送信を、連続的に起動および遮断することを特徴とする。
【００２０】
振幅変調信号の送信手段が、既に存在する周波数変調信号の送信手段を使用するので、その受信機が振幅変調信号の送信機能を確保できるようにする受信機の改造コストが低い。
【００２１】
特に対形成の手続き中に振幅変調通信が実施されるので、この通信モードの有効距離が制限されてもユーザに支障をもたらすことがなく、そして、他のシステムとの干渉または操作誤りを防止することを可能にする。
【００２２】
従属請求項の第２項および第３項が、この通信方法の変型例を規定する。
【００２３】
本発明によって、周波数変調ＲＦ信号から成るコマンド送受信機は、周波数変調ＲＦ信号の受信手段と、周波数変調ＲＦ信号の送信手段とに接続されたアンテナを備える。
【００２４】
このコマンド送受信機は、前述の規定通りの通信方法の実施のための送信手段を起動または無効化する手段を備える。
【００２５】
このコマンド送受信機を変型した実施態様が、従属特許請求項の第５項から第７項によって規定されている。
【００２６】
本発明は、さらに、前述の規定通りの少なくとも１つのコマンド送受信機と、周波数変調ＲＦ信号を送信する手段と振幅変調ＲＦ信号を受信する手段とを備えている、少なくとも１つのコマンド送信機とを備える装置にも関する。
【００２７】
コマンド送信機からコマンド送受信機への通信が周波数変調信号によって行われ、そして、コマンド送受信機からコマンド送信機への通信が振幅変調信号によって行われる。
【００２８】
添付図面が、本発明によるコマンド送信機とコマンド送受信機とを例示する。
【発明を実施するための最良の形態】
【００２９】
図１（ａ）から図１（ｃ）に示されている制御装置は、２つのコマンド受信機１０、３０とコマンド送信機２０とを備える。コマンド受信機１０は、その装置の他の要素と通信することが可能であるように、コマンド送信（対称双方向通信）の機能を有する。しかし、説明を分かり易くするために、このコマンド受信機１０は、送受信機であるが、この説明では「コマンド受信機」と呼ぶ。
【００３０】
コマンド受信機１０は、ドア、ロールブラインド、または、警報装置のような建物の快適性および／または警備装置を駆動するように、コマンド受信機１０が関連付けられているコマンド送信機２０からの制御コマンドを受信することが可能である。このコマンド受信機１０は、さらに、例えば建物の別の装置を駆動するように、その装置の他の受信機３０にコマンドを送信することも可能である。このコマンド受信機１０は、極超短波で動作し、かつ双方向に動作することが可能である。
【００３１】
コマンド送信機２０は、極超短波の無線タイプの電磁波によってコマンドを送信する。このコマンド送信機２０は、コマンド受信機１０と非対称双方向通信し、すなわち、送信される信号と、受信される信号とが同一の仕方で変調させられるのではない。
【００３２】
コマンド送信機２０は、矢印４０で示されているように周波数変調信号をコマンド受信機１０に送信するが、このコマンド送信機は振幅変調信号だけを受信することが可能である。
【００３３】
コマンド受信機１０もコマンド送信機２０と非対称双方向に通信する。しかし、コマンド受信機１０は、周波数変調信号を受信することが可能なコマンド送信機３０に対して対称双方向通信する。
【００３４】
コマンド受信機１０は振幅変調信号を送信することが可能であり、および、コマンド送信機は振幅変調信号を受信することが可能である。この通信は、受信機１０によって送信される周波数変調信号の搬送波の低ビットレート振幅変調に基づいている。この搬送波は、周波数変調信号の有効距離よりも短い約５０ｃｍから約１ｍの有効距離を有する。
【００３５】
図２に示されている受信機１０は、周波数変調信号を送信および受信するためのモジュール１２を備える。このモジュール１２は、一方ではアンテナ１１に接続されており、他方では論理処理ユニット１３に接続されている。このモジュール１２は、アンテナ１１によって受信された信号を増幅してフィルタリングするための回路１２１Ｒと、その増幅された信号を復調するための回路１２２Ｒとを備える。復調回路１２２Ｒの出力が論理処理ユニット１３に接続されている。したがって、アンテナ１１によって捉えられた信号は、この送信および受信モジュール１２を経由して、装置１４を制御する論理処理ユニット１３によって解釈されることが可能なコマンドの形に変換される。
【００３６】
周波数変調信号を送信および受信するモジュール１２は、さらに、論理処理ユニット１３からのコマンドを変調するための回路１２２Ｅと、アンテナに接続されていて、これらの変調信号を増幅するための回路１２１Ｅとを備える。したがって、制御コマンドがコマンド受信機１０からコマンド受信機３０に送られることが可能である。上述した要素が、従来技術から公知である送受信機の中に存在する。
【００３７】
変調のための回路１２２Ｅは、例えばＶＣＯ（電圧制御発振器）であり、したがって発振機能を有する。その次に、回路１２１Ｅは、アンテナ１１に接続するための、または、アンテナ１１を短絡させるための単純な断続器であってもよい。
【００３８】
しかし、信号送信機能を確保する受信機の部分は追加の要素を示す。この受信機は、特に、送信および受信モジュール１２の送信手段（１２１Ｅ、１２２Ｅ）の制御のためのモジュールを示す。このモジュールは、受信機１０が例えばランダムな形で送信機２０に割り当てる識別子に相当する振幅変調信号の送信を制御することを可能にする。こうした信号の送出は、例えば、コマンド受信機をプログラミングモードにすることを制御する手段１４０によって制御される。このプログラミングモードは、識別コードタイプの情報項目をその受信機が１つまたは複数のコマンド送信機に送信するモードに相当する。プログラミングモードにするための手段１４０は、例えば、コマンド受信機１０に備えられており、かつコマンド受信機１０の論理処理ユニット１３に接続されている押しボタンから構成されるであろう。
【００３９】
振幅変調信号の送信は短距離において行われる。受信機１０がプログラミングモードにされている時には、論理処理ユニット１３は、例えば、コマンド送信機２０に割り当てられるべき識別子に対応する、一連の低状態と高状態とで構成されている信号を、その論理処理ユニット１３の出力の１つにおいて生成する。この一連の低状態と高状態は、制御モジュール１３０を経由して、変調回路１２２Ｅからの信号を増幅するための回路１２１Ｅの一連の起動および無効化動作を生じさせる。したがって、これは、周波数変調通信のために通常使用される搬送波の一連の送信と送信中断とを生じさせる。したがって、振幅変調信号が得られる。搬送波の一連の送信と一連の送信中断とが、メッセージを含むＲＦ信号、または、この場合には、送信されるべき識別子を含むＲＦ信号を構成する。この搬送波は、振幅変調通信中に一定不変であるか可変である特定の周波数で送信されることが可能である。
【００４０】
モジュール１３０は、さらに、論理処理ユニット１３によって制御されており、かつ増幅回路１２１Ｅの電源回路に直列接続されている断続器から構成されることも可能である。
【００４１】
したがって、あらゆる情報項目がコマンド受信機１０からコマンド送信機２０に低ビットレートで送信されることが可能である。特に、この情報項目は、コマンド受信機１０を特徴付ける識別コードまたはアドレスから成ってもよい。この後で、この識別子（またはアドレス）は、今度は周波数変調信号によって行われる従来のコマンド送信の枠組みの中で、コマンド受信機１０によってコマンド送信機２０自体を認証するために、そのコマンド送信機２０によって使用される。
【００４２】
振幅変調信号は、コマンド送信機２０に一体化されている基本受信モジュール２１０によって容易に検出されることが可能である。図３に概略的に示されているこのコマンド送信機２０は、一方ではキーパッド型のユーザインタフェース２４に接続されており、他方では周波数変調信号の変調と送信とのための回路２２に接続されている、論理処理ユニット２３を備える。この回路２２自体は結合装置２１に接続されている。この送信機は、さらに、論理処理ユニット２３に接続されている基本受信モジュール２１０を備える。このモジュールは、受信機１０から送出される振幅変調信号の受信を可能にする。
【００４３】
この基本受信モジュール２１０は受信機回路２１１を備える。この受信機回路２１１は、発振モードで使用されるトランジスタから主として成る超再生型の受信機回路であってよい。このトランジスタは、周波数変調信号による通信のために使用される搬送波の周波数である場合を除いて、発振が遮断される。この後で、この発振は、受信機１０によって送信された信号を変換する復調回路２１２によって振幅復調および整形される。このタイプの低コストの受信回路は、振幅変調ＲＦ信号の２つの振幅レベルを低ビットレートで容易に検出することを可能にする。
【００４４】
したがって、基本受信モジュール２１０は、５０ｃｍから１ｍの有効距離半径内の送受信機１０からの「ＯＮまたはＯＦＦ」信号を受信することと、この信号を２進コードの形に解釈することとを可能にする。この後で、このコードは、コマンド送信機２０によって送信される制御コマンドを構成する情報フレームの形で送信されるように、論理処理ユニット２３の記憶装置の中に記憶される。
【００４５】
上述の装置は１つのコマンド送信機２０だけを備える。しかし、上述したコマンド送信機２０のような複数のコマンド送信機２０が、上述したコマンド受信機１０のような複数のコマンド受信機と同様に、本発明による装置を構成してもよい。
【図面の簡単な説明】
【００４６】
【図１】図１（ａ）から（ｃ）は、コマンド送信機と２つのコマンド送受信機と、これらの間で生じる様々なモードの通信とを示す図である。
【図２】図２は、本発明によるコマンド送受信機の構成図である。
【図３】図３は、本発明によるコマンド送信機の構成図である。
2006516374.tif 000003
【図２】
2006516374.tif 000004
【図３】
2006516374.tif 000005
【国際調査報告】
2006516374.tif 000006
2006516374.tif 000007
2006516374.tif 000008
2006516374.tif 000009
2006516374.tif 000010
2006516374.tif 000011